(57)【要約】【課題】長尺物を収納するポケットにおいて、長尺物を取り出しが簡単に行えるようにする。【解決手段】ベルト部材２２は、（ａ）中のホームポジションＨＰにおいて、中間部４２が、収納状態の長尺物Ｈの一方の面に沿って下方に延びて長尺物Ｈの下端を巻き込むように折返し部４５を形成するとともに、収納状態の長尺物Ｈの一方の面と反対側の面に沿って上方に延び、先端部４３が挿脱口３５から上方に突出されている。（ｂ）に示すように、ベルト部材２２の先端部４３を引き上げると、折返し部４５が上昇して長尺物Ｈを挿脱口３５から押し上げるので、長尺物Ｈを簡単に引き抜くことができる。【選択図】図６
2008055079.tif 000002
【特許請求の範囲】
【請求項１】
長尺物が挿入されたり引き抜かれたりする挿脱口を軸方向の一方の端部に有する筒状の収納部を備えたポケットにおいて、
前記収納部に収納された長尺物を引き抜くためのベルト部材を備え、
前記ベルト部材は、基端部が前記挿脱口の近傍に取り付けられるとともに、長尺物の収納状態に対応するホームポジションを有し、
前記ホームポジションにおいては、中間部が、収納状態の長尺物の一方の面に沿って下方に延びて長尺物の下端を巻き込むように折返し部を形成するとともに、収納状態の長尺物の前記一方の面と反対側の面に沿って上方に延び、先端部が前記挿脱口から突出され、
前記ホームポジションから前記先端部が引き上げられることにより、前記折返し部が上昇して長尺物を前記挿脱口から押し上げる一方、長尺物が前記挿脱口から前記収納部に挿着されることにより、前記ホームポジションに配置される、
ことを特徴とするポケット。
【請求項２】
前記収納部は、軸方向の他方の端部を閉鎖する底部を有する、
ことを特徴とする請求項１に記載のポケット。
【請求項３】
前記収納部は、軸方向の他方の端部が開口されている、
ことを特徴とする請求項１に記載のポケット。
【請求項４】
前記収納部は、ベース部材と、前記ベース部材の表面に突設するように固定されたポケット材とによって四角筒状に構成されている、
ことを特徴とする請求項２又は３に記載のポケット。
【請求項５】
前記ベルト部材は、前記基端部が、前記ポケット材における前記ベース部材に対面する壁部に着脱自在に取り付けられている、
ことを特徴とする請求項４に記載のポケット。
【請求項６】
前記ベルト部材は、先端部に、前記基端部に設けられた係止部に係合された状態において前記挿脱口を閉鎖する開閉自在な蓋部を有する、
ことを特徴とする請求項５に記載のポケット。
【請求項７】
前記ベルト部材は、前記基端部が、前記ベース部材に取り付けられている、
ことを特徴とする請求項４に記載のポケット。
【請求項８】
前記ベルト部材は、前記先端部に、前記ホームポジションにおいて、前記収納部の前記挿脱口に係合して長尺物のそれ以上の挿入を禁止するストッパを有する、
ことを特徴とする請求項７に記載のポケット。
【請求項９】
基端側が前記ベース部材における前記挿脱口近傍に固定されるとともに、先端側が前記ストッパに設けられた係止部に係合して前記挿脱口を閉鎖する開閉自在な蓋部材を有する、
ことを特徴とする請求項８に記載のポケット。
【請求項１０】
長尺物を収納可能なポケットを備えたバッグにおいて、
前記ポケットが、請求項１ないし９のいずれか１項に記載のポケットである、
ことを特徴とするバッグ。
【請求項１１】
前記ポケットが、それぞれの前記挿脱口を同じ方向に向けた状態で相互に隣接されて複数設けられている、
ことを特徴とする請求項１０に記載のバッグ。
【発明の詳細な説明】
【技術分野】
【０００１】
本発明は、長尺物を引き抜きぬきやすくしたポケット、及びこれを備えたバッグに関する。
【背景技術】
【０００２】
例えば、人が肩に掛けて持ち歩くバッグにおいて、長尺物を収納するためのポケットが設けられたものが知られている（例えば、特許文献１参照）。このバッグのポケットは、長尺物を出し入れするための挿脱口を上端に有する筒状の収納部を有している。長尺物をポケットの挿脱口から引き抜く際には、収納状態の長尺物の上端部を、例えば、親指と人差し指とで左右から挟みこんで、そのまま上方に引き抜くようにしている。
【特許文献１】実用新案登録第３０９８４４３号
【発明の開示】
【発明が解決しようとする課題】
【０００３】
しかしながら、筒状の収納部に収納された長尺物を収納部から引き抜く際には、長尺物を、長手方向に、少なくともその長さ以上に移動させなければならないため、例えば、バッグを肩に掛けたままでその引き抜き動作を行う場合には、その引き抜き動作が煩雑で、また迅速な引き抜き動作ができないという問題があった。また、ポケットに対して長尺物が短いような場合には、ポケットの挿脱口が狭く、かつポケットの長さに対して長尺物の長さが短いような場合には、狭い挿脱口から指をポケットの奥深くに差し入れて、長尺物を挟み込むことが必要となるため、その動作が煩雑になるという問題がある。
【０００４】
そこで、本発明は、ポケットの挿脱口から長尺物を簡単に取り出せるようにしたポケット及びこれを備えたバッグを提供することを目的とするものである。
【課題を解決するための手段】
【０００５】
請求項１に係る発明は、長尺物が挿入されたり引き抜かれたりする挿脱口を軸方向の一方の端部に有する筒状の収納部を備えたポケットに関する。この発明に係るポケットは、前記収納部に収納された長尺物を引き抜くためのベルト部材を備え、前記ベルト部材は、基端部が前記挿脱口の近傍に取り付けられるとともに、長尺物の収納状態に対応するホームポジションを有し、前記ホームポジションにおいては、中間部が、収納状態の長尺物の一方の面に沿って下方に延びて長尺物の下端を巻き込むように折返し部を形成するとともに、収納状態の長尺物の前記一方の面と反対側の面に沿って上方に延び、先端部が前記挿脱口から突出されるとともに、前記ベルト部材は、前記ホームポジションから前記先端部が引き上げられることにより、前記折返し部が上昇して長尺物を前記挿脱口から押し上げる一方、長尺物が前記挿脱口から前記収納部に挿着されることにより、前記ホームポジションに配置される、ことを特徴としている。
【０００６】
請求項２に係る発明は、請求項１に係るポケットにおいて、前記収納部は、軸方向の他方の端部を閉鎖する底部を有する、ことを特徴としている。
【０００７】
請求項３に係る発明は、請求項１に係るポケットにおいて、前記収納部は、軸方向の他方の端部が開口されている、ことを特徴としている。
【０００８】
請求項４に係る発明は、請求項２又は３に係るポケットにおいて、前記収納部は、ベース部材と、前記ベース部材の表面に突設するように固定されたポケット材とによって四角筒状に構成されている、ことを特徴としている。
【０００９】
請求項５に係る発明は、請求項４に係るポケットにおいて、前記ベルト部材は、前記基端部が、前記ポケット材における前記ベース部材に対面する壁部に着脱自在に取り付けられている、ことを特徴としている。
【００１０】
請求項６に係る発明は、請求項５に係るポケットにおいて、前記ベルト部材は、先端部に、前記壁部に設けられた係止部に係合された状態において前記挿脱口を閉鎖する開閉自在な蓋部を有する、ことを特徴としている。
【００１１】
請求項７に係る発明は、請求項４に係るポケットにおいて、前記ベルト部材は、前記基端部が、前記ベース部材に取り付けられている、ことを特徴としている。
【００１２】
請求項８に係る発明は、請求項７に係るポケットにおいて、前記ベルト部材は、前記先端部に、前記ホームポジションにおいて、前記収納部の前記挿脱口に係合して長尺物のそれ以上の挿入を禁止するストッパを有する、ことを特徴としている。
【００１３】
請求項９に係る発明は、請求項８に係るポケットにおいて、基端側が前記ベース部材における前記挿脱口近傍に固定されるとともに、先端側が前記ストッパに設けられた係止部に係合して前記挿脱口を閉鎖する開閉自在な蓋部材を有する、ことを特徴としている。
【００１４】
請求項１０に係る発明は、長尺物を収納可能なポケットを備えたバッグに関する。この発明に係るバッグは、前記ポケットが、請求項１ないし９のいずれか１項に係るポケットである、ことを特徴としている。
【００１５】
請求項１１に係る発明は、請求項１０に係るバッグにおいて、前記ポケットが、それぞれの挿脱口を同方向に向けた状態で相互に隣接されて複数設けられている、ことを特徴としている。
【発明の効果】
【００１６】
請求項１の発明によれば、ベルト部材は、収納部に長尺物が収納されると、ホームポジションに配置される。この状態からベルト部材の先端部を引き上げると、折返し部が上昇して長尺物が押し上げられる。すなわち、ベルト部材の先端部を単に引き上げるといった簡単な動作で、長尺物を上昇させて、挿脱口から突出させることができる。長尺物が挿脱口から適宜な量だけ突出したら、これを指で挟んで簡単に引き抜くことができる。さらに、本請求項では、その構造上、ベルト部材の先端部の引き上げ量に対して、折返し部の移動量が1／２になる、すなわち先端部の引き上げ速度に対して折返し部の移動速度が半分になるので、先端部を急に引き上げた場合でも、長尺物はゆっくりと引き上げられることになり、したがって、先端部を急に引き上げた場合でも、長尺物が挿脱口から飛び出して脱落するような事故を防止することができる。
【００１７】
請求項２の発明によれば、収納部は底部を有しているので、この底部によって、長尺物が収納部から落下することを防止することができる。
【００１８】
請求項３の発明によれば、収納部には、底部がないので、その分、構成を簡略化することができる。
【００１９】
請求項４の発明によれば、収納部がベース部材の表面に突設するように固定された四角筒状のポケット部材によって構成されているので、収納部に対する長尺物の挿脱動作を円滑に行うことができる。
【００２０】
請求項５の発明によれば、ベルト部材の基端部が、ポケット部材におけるベース部材に対面する壁部に着脱自在に取り付けられているので、ベルト部材の先端部は、長尺物よりもベース部材側に位置することになり、この先端部を引き上げることにより、折返し部が上昇して長尺物を挿脱口から押し上げることができる。また、ベルト部材は、基端部を取り外すことで、ポケット部材から取り去ることができるので、取り去った後は、ポケット部材を通常のポケットとして使用することができる。
【００２１】
請求項６の発明によれば、蓋部によって挿脱口を閉鎖することにより、長尺物が挿脱口から不要に抜け落ちることを防止することができる。
【００２２】
請求項７の発明によれば、ベルト部材の基端部が、ベース部材に取り付けられているので、ベルト部材の先端部は、長尺物よりも、ポケット部材に対面する壁部側に位置することになり、この先端部を引き上げることにより、折返し部が上昇して長尺物を挿脱口から押し上げることができる。
【００２３】
請求項８の発明によれば、長尺物を挿脱口からポケット部材に押し込むと、この長尺物によりベルト部材の折返し部が押し下げられるが、長尺物が適宜な位置に押し込まれた際に、ストッパが挿脱口に係合して長尺物がそれ以上押し込まれることを防止することができる。
【００２４】
請求項９の発明によれば、蓋部材によって挿脱口を閉鎖することにより、長尺物が挿脱口から不要に抜け落ちることを防止することができる。
【００２５】
請求項１０の発明によれば、ベルト部材の先端部を引き上げることにより、バッグのポケットから長尺物を簡単に引き抜くことができる。
【００２６】
請求項１１の発明によれば、複数のポケットにそれぞれ収納された長尺物を頻繁にポケットから挿脱する場合に便宜である。
【発明を実施するための最良の形態】
【００２７】
以下、図面に沿って、本発明の実施の形態について説明する。なお、同一の図面又は異なる図面において同一の符合を付したものは、同様の構成あるいは同様の作用をなすものであり、これらについては、適宜、重複説明を省略している。
＜実施の形態１＞
【００２８】
図１〜図６に本実施の形態に係るポケット１及びこれを備えたバッグ２を示す。このうち図１は、蓋４を閉じた状態のバッグ２を左斜め上方から見た斜視図である。図２は、蓋４を開いた状態のバッグ２を左斜め上方から見た斜視図である。図３は、蓋４を開き、ポケット１から長尺物（例えば、ハーモニカ）Ｈを取り出した状態のバッグ２を左斜め上方から見た斜視図である。図４は、蓋４を開いた状態のバッグ２の左側面図である。図５は、蓋４を開き、ポケット１から長尺物Ｈを取り出した状態のバッグ２の左側面図である。図６（ａ），（ｂ），（ｃ）は、長尺物Ｈをポケット１から引き抜く動作を模式的に説明する動作説明図である。
【００２９】
図１，図２に示すように、バッグ２は、バッグ本体３と、蓋４と、複数（本実施の形態では４個）のポケット１とを備えている。バッグ２は、適宜な可撓性を有する皮革、合成皮革、布等によって作製することができる。
【００３０】
このうち、バッグ本体３は、ほぼ直方体状に形成されていて、内側には、物品を収納するための袋状の主収納部５が確保されている。この主収納部５は、物品を出し入れするための開口部６が上方を向けて開口されている。バッグ本体３の前面７は、二重構造になっていて、薄物を収納するための副収納部（不図示）を形成している。この副収納部に対する薄物の出し入れは、前面７の上部に、左右方向に配設されたファスナ８を開閉することによって行われる。
【００３１】
蓋４は、その基端部１０がバッグ本体３の裏面１１の上端近傍に固定されるとともに、その中間部１２がバッグ本体３の主収納部５の開口部６を閉鎖し、その先端部１３がバッグ本体３の前面７をポケット１の前側から覆うようになっている。
【００３２】
ポケット１は、バッグ本体３の前面７の下部を覆うように配設されたベース部材２０と、ベース部材２０から突出するように取り付けられたポケット部材２１と、ベルト部材２２とを有している。
【００３３】
このうち、ベース部材２０は、薄板状に形成されていて、その基端部（下端部）がバッグ本体３の底面２３を越えて裏面１１の下端部に固定されていて、その先端部（上端部）がほぼ前後方向に揺動可能となっている。ベース部材２０は、面ファスナ（不図示）によってバッグ本体３の前面７に着脱自在に取り付けられており、さらに、上端部における左右に係止具２４が取り付けられていて、これら係止具２４がバッグ本体３の左側面２５及び右側面２６にそれぞれ配設されたバンド２７（ただし、右側のバンドは図示を省略している）によって留められている。
【００３４】
ポケット部材２１は、水平方向の平面で切った断面が「コ」字形に形成されていて、前壁部（ベース部材２０に対面する壁部）３１と左壁部３２と右壁部３３と底部３４とを有している。ポケット部材２１の上端は、上方に向かって開口されていて、長尺物Ｈを出し入れするための挿脱口３５となっている。ポケット部材１２は、その背面側が上述のベース部材２０によって閉鎖された状態となっていて、全体として上下方向に長いほぼ四角筒状に構成されている。つまり、ポケット部材２１とベース部材２０とによって、これらの内側にほぼ四角筒状の収納部Ｓ（図６（ａ），（ｂ），（ｃ）参照）が構成されている。ポケット部材２１の前壁部３１の上端近傍には、前方に向けてスナップボタンの凸側（不図示）が固定されている。この凸側は、後述するベルト部材２２の基端部４１を着脱可能に取り付けるためのものである。本実施の形態では、４個のポケット１が、いずれも挿脱口３５を上方に向けた状態で、つまり長手方向を上下方向に向けた姿勢で、左右に隣接して整列された状態で、バッグ本体３の前面７に配設されている。これら４個のポケット１は、基端部がそれぞれバッグ本体３の左側面２５、右側面２６に固定されたバンド３７によって、前側から押さえられている。
【００３５】
図８に、先端部４３が引き上げられた状態の、単品としてのベルト部材２２の左側面図を示す。この状態は、図３に示す状態と対応している。同図に示すように、ベルト部材２２は、基端部４１と中間部４２と先端部４３とを有しており、後述する折返し部４５は、先端部４３の引き上げ動作に伴って次々と位置を移動させて形成される。基端部４１には係止部４６が設けられている。ベルト部材２２の厚さは、後述する折返し部４５が湾曲した状態で円滑に移動することができる厚さに設定するものとする。また、ベルト部材２２の幅、特に中間部４２の幅は、上述のポケット部材２１の左壁部３２の内面と右壁部３３の内面との間の距離よりも少し狭くなるように設定されている。これにより、ベルト部材２１の中間部４２がポケット部材２１の内側で円滑に移動することができ、また、折返し部４５が長尺物Ｈを安定した姿勢で押し上げることができる。係止部４６は、基端部４１の一部を折返して形成した二股部４７を有していて、この二股部４７のうちの前側に位置する部分（図８中の右側に位置する部分）の裏面側には、スナップボタン４８の凹側（不図示）が配設されている。ベルト部材２２は、二股部４７で上述のポケット部材２１の前壁部３１の上端を挟み込み、さらに、このスナップボタン４８の凹側を、前壁部３１の上端近傍に配設されたスナップボタンの凸側に係合されることでポケット部材２１に取り付けることができる。なお、スナップボタンを外して、ベルト部材２２を取り外した場合には、ポケット部材２１が底部３４を有するので、ポケット１を、一般的な収納部として使用することができる。係合部４６には、スナップボタンの凸側４６ａが前方を向けて配設されている。ベルト部材２２の先端部４３には、蓋部４４が設けてある。この蓋部４４には、スナップボタンの凹側４４ａが配設されていて、ベルト部材２２の中間部４２がポケット部材２１内に収納された状態（ホームポジションＨＰ、図６（ａ）参照）において、この凹側４４ａを、係止部４６のスナップボタンの凸側４６ａに嵌めることにより、蓋部４４によってポケット部材２１の挿脱口３５を閉鎖することができる。
【００３６】
図６（ａ），（ｂ），（ｃ）の模式図を参照しながら、上述のポケット１における長尺物Ｈの引き抜き動作について説明する。ただし、同図は、実際の構成を簡略化（模式化）して図示していて、説明に不要な部材等は適宜省略している。図６（ａ）は、長尺物Ｈがポケット１の収納部Ｓに挿着（収納）されて、ベルト部材２２がホームポジションＨＰに配置された状態を示している。また、図６（ｂ）は長尺物Ｈの引き抜き途中の状態を、また、図６（ｃ）は長尺物Ｈの引き抜き終了の状態をそれぞれ図示している。
【００３７】
図６（ａ）に示すホームポジションＨＰにおいては、ベルト部材２２は、中間部４２が、収納状態の長尺物Ｈの一方の面に沿って下方に延びて長尺物Ｈの下端を巻き込むように折返し部４５を形成するとともに、収納状態の長尺物Ｈの一方の面と反対側の面に沿って上方に延び、先端部４３が挿脱口３５から上方に突出されている。
【００３８】
図６（ｂ）に示すように、このホームポジションＨＰから、ベルト部材２２の先端部４３を引き上げると、折返し部４５が上昇して長尺物Ｈを挿脱口３５から押し上げる。さらに、ベルと部材２２の先端部４３を引き上げると、図６（ｃ）に示すように、折返し部４５がさらに上昇して、長尺物Ｈがさらに押し上げられる。この状態で、長尺物Ｈを指で挟んで、ポケット１から簡単に取り出すことができる。本発明におけるポケット１においては、ベルト部材２２の構造上、ベルト部材２２の先端部４３の引き上げ量に対して、折返し部４５の移動量が1／２になる、すなわち先端部４３の引き上げ速度に対して折返し部の移動速度が半分になるので、先端部４３を急に引き上げた場合でも、長尺物はゆっくりと引き上げられることになる。このため、先端部４３を急に引き上げた場合でも、長尺物Ｈが挿脱口３５から飛び出して脱落するような事故を防止することができる。
【００３９】
ポケット１に長尺物Ｈを収納する際には、図６（ｃ）の状態から長尺物Ｈをポケット１の挿脱口３５から収納部Ｓに押し込むことにより、上述とは逆の過程をたどって、長尺物Ｈにより、ベルト部材２２をホームポジションＨＰに戻すことができる。
＜実施の形態２＞
【００４０】
図７（ａ），（ｂ），（ｃ）に、ポケット１００の他の実施の形態を示す。本実施の形態では、上述の実施の形態１とは異なり、ベルト部材７０の基端部７１を、ベース部材５０側に取り付けるようにしている。
【００４１】
本実施の形態において、ポケット１００は、ベース部材５０の表面に、水平方向の断面がほぼ四角形状のポケット部材５１を固定して、ほぼ四角筒状の収納部Ｓを構成している。ポケット部材５１は、前壁部６１、底部６３等を有している。ベルト部材７０は、基端部７１、中間部７２、先端部７３を有しており、先端部７３は、下向きに折り返されて、挿脱口３５における前壁部６１の上端に係脱可能なストッパ７４を構成している。このストッパ７４には、スナップボタンの凹側７４ａが固定されている。また、挿脱口３５の上方には、蓋部材７６が配設されている。蓋部材７６は、その基端部がベース部材５０における挿脱口３５の近傍に固定されている。蓋部材７６は、先端部に固定されたスナップボタンの凸側７６ａを、上述のストッパ７４のスナップボタンの凹側７４ａに嵌めることで、挿脱口３５を閉鎖することができる。
【００４２】
本実施の形態においては、蓋部材７６を外して、挿脱口３５を開放した後、上述の実施の形態１と同様に、ベルト部材７０の先端部７３を引き上げることにより、ベルト部材７０の折返し部７５が長尺物Ｈを押し上げることができるので、長尺物Ｈをポケット１００から簡単に引き抜くことができる。
【００４３】
さらに、本実施の形態では、ベルト部材７０をホームポジションＨＰに配置した際に、ストッパ７４がポケット部材５１の前壁部６１の上端に引っかかるため、折返し部７５がそれ以上下がらないようにすることができる。つまり、収納部Ｓ内において長尺物Ｈの位置を規制して、それ以上の下降を禁止することができる。このため、本実施の形態では、底部６３を省略するようにしてもよい。
【００４４】
上述の実施の形態１では、ベルト部材２２の基端部４１をポケット部材２１の前壁部３１に取り付けた例を、また、実施の形態２では、ベルト部材７０の基端部７１をベース部材２０に取り付けた例をそれぞれ説明したが、これらに代えて、ベルト部材の基端部を、ポケット部材の左側壁又は右側壁に取り付けることもできる。この場合でも、ほぼ同様の効果を奏することができる。
【００４５】
また、上述の実施の形態１，２では、ポケット１，１００が挿脱口３５を上方に向けた状態で、上下方向に配置した場合を例に説明したが、本発明はこれに限定されるものではない。例えば、挿脱口を斜め上方に向けて斜め方向に配置したり、また、挿脱口を横に向けて横方向に配置したりしてもよい。
【００４６】
上述の実施の形態１，２では、ポケット１及びポケット１００が、ほぼ四角筒状に形成されている場合を例に説明したが、本発明は、これに限定されるものではない。例えば、五画筒状、六画筒状、八角筒状等であってもよく、さらには、円筒状、楕円筒状等であってもよい。つまり、ポケットは、その長手方向に直交する方向に断面形状については、任意のものを採用することができる。
【００４７】
なお、上述の長尺物Ｈとしては、例えば、ハーモニカが考えられる。その中でも、ジャズやブルースに使用するハーモニカは、それぞれ異なる音階の複数種のものを演奏する曲目に応じて、適宜に使い分けることが行われるため、上述のように、ハーモニカの挿脱動作が容易な複数のポケットを有するバッグは、大変、便宜である。長尺物Ｈの別な例としては、例えば、タバコ、ライター、箱入りの菓子類等が挙げられる。
【図面の簡単な説明】
【００４８】
【図１】蓋を閉じた状態のバッグを左斜め上方から見た斜視図である。
【図２】蓋を開いた状態のバッグを左斜め上方から見た斜視図である。
【図３】蓋を開き、ポケットから長尺物を取り出した状態のバッグを左斜め上方から見た斜視図である。
【図４】蓋を開いた状態のバッグの左側面図である。
【図５】蓋を開き、ポケットから長尺物を取り出した状態のバッグの左側面図である。
【図６】（ａ），（ｂ），（ｃ）は、実施の形態１のポケットにおいて、長尺物を引き抜く動作を模式的に説明する動作説明図である。
【図７】（ａ），（ｂ），（ｃ）は、実施の形態２のポケットにおいて、長尺物を引き抜く動作を模式的に説明する動作説明図である。
【図８】先端部が引き上げられた状態の、実施の形態１における単品としてのベルト部材の左側面図を示す。
【符号の説明】
【００４９】
１，１００  ポケット
２          バッグ
３５        挿脱口
２０        ベース部材
２１        ポケット部材
２２，７０  ベルト部材
３１，６１  前壁部（壁部）
３４，６３  底部
４１，７１  ベルト部材の基端部
４２，７２  ベルト部材の中間部
４３，７３  ベルト部材の先端部
４４        蓋部
４５，７５  ベルト部材の折返し部
４６        係止部
７４        ストッパ
７４ａ      スナップボタンの凹側（係止部）
７６        蓋部材
Ｈ          長尺物
ＨＰ        ホームポジション
Ｓ          収納部
【図１】
2008055079.tif 000003
【図２】
2008055079.tif 000004
【図３】
2008055079.tif 000005
【図４】
2008055079.tif 000006
【図５】
2008055079.tif 000007
【図６】
2008055079.tif 000008
【図７】
2008055079.tif 000009
【図８】
2008055079.tif 000010